(57)【要約】【課題】生体の管腔において、管腔を流れる流体の内圧を計測できる小型かつ細経の装置を提供する。【解決手段】計測装置１０は、先端側が管腔に挿入可能なガイドワイヤ１１と、ガイドワイヤ１１の先端側に設けられた熱線流速計２３と、ガイドワイヤ１１の先端側に設けられたカンチレバー３２と、カンチレバー３２の変位量を計測するピエゾ素子３７と、カンチレバー３２の先端に設けられた接触センサ３１と、を具備する。熱線流速計２３によって得られた流速に基づいて、管腔の内圧を演算することができる。カンチレバー３２の変位量に基づいて、管腔の内径を計測することができる。【選択図】図３
2015100572.tif 000002
【特許請求の範囲】
【請求項１】
第１端及び第２端を有しており、当該第１端側が管腔に挿入可能な長尺部材と、
上記長尺部材の第１端側に設けられた熱線流速計と、を具備する計測装置。
【請求項２】
上記長尺部材の第１端側に、上記長尺部材から離れる向きへ移動可能な線材が、上記長尺部材の軸線周りに間隔を空けて複数が配置されたものである請求項１に記載の計測装置。
【請求項３】
上記線材がカンチレバーであり、
上記カンチレバーの変位量を計測する計測手段と、
上記カンチレバーの先端に設けられており、上記管腔の内壁との接触を検知する接触センサと、を更に具備する請求項２に記載の計測装置。
【請求項４】
上記長尺部材及び上記カンチレバーが挿入される外筒を更に具備しており、
上記カンチレバーは、上記外筒に覆われることによって先端が上記長尺部材に近い位置に保持され、上記外筒から露出されることによって先端が上記長尺部材から離れる向きへ移動するものである請求項３に記載の計測装置。
【請求項５】
上記長尺部材は、ガイドワイヤである請求項１から４のいずれかに記載の計測装置。
【請求項６】
上記長尺部材は、マイクロカテーテルである請求項１から４のいずれかに記載の計測装置。
【発明の詳細な説明】
【技術分野】
【０００１】
本発明は、長尺部材の第１端側を生体の管腔に挿入して計測を行う計測装置に関する。
【背景技術】
【０００２】
冠動脈における狭窄病変の治療方針を決定するための指標の一つとして冠血流予備量比（ＦＦＲ）がある。冠血流予備量比は、狭窄病変に対して上流の内圧（Ｐａ）と、下流の内圧（Ｐｄ）との比である（ＦＦＲ＝Ｐｄ÷Ｐａ）。冠血流予備量比は、狭窄病変によって阻害されている血流量を示すものであり、例えば、冠血流予備量比が０．６であれば、狭窄病変によって最大血流量の６０％しか血流がないと判断される。一般に、冠血流予備量比が０．７５以下であれば経皮的冠動脈インタベーション（ＰＣＩ）が適応され、０．８以上であれば薬物療法が適応される。
【０００３】
冠動脈における内圧を測定するための装置として、ガイドワイヤに圧力センサが設けられたものが知られている（特許文献１，２）。ガイドワイヤの先端側に、２個の圧力センサが間隔を空けて配置されており、ガイドワイヤを冠動脈へ挿入して、２個の圧力センサを狭窄病変の近位部と遠位部とにそれぞれ位置させることによって、内圧が測定できる。また、圧力センサの他に、血流センサや温度センサが設けられたものが公知である（特許文献３〜５）。
【先行技術文献】
【特許文献】
【０００４】
【特許文献１】特表２００１−５１７９９３号公報
【特許文献２】特表平１０−５２５２６９号公報
【特許文献３】特表２００１−５０４２４９号公報
【特許文献４】特開２００１−２５４６１号公報
【特許文献５】特表２００８−５１４３０８号公報
【発明の概要】
【発明が解決しようとする課題】
【０００５】
前述されたような圧力センサを有するガイドワイヤは、小径な冠動脈にも挿入できるように小型化ないし細経化の要請がある。しかしながら、圧力センサなどのダイアフラムを有するセンサは、構造上、小型化や細経化には限界がある。また、小型化するには、半導体を用いた構造にする必要があり、高価なものになる。
【０００６】
また、ＰＣＩを施すには、狭窄が生じている冠動脈の内径を知る必要がある。現行では、外部より照射したＸ線による画像分析によって冠動脈の内径を計測しているが、Ｘ線の照射方向などによって得られた画像の内径が変化するので、迅速かつ正確な内径の計測が難しい。
【０００７】
本発明は、前述された事情に鑑みてなされたものであり、その目的は、生体の管腔において、管腔を流れる流体の内圧を計測できる小型かつ細経の装置を提供することにある。
【０００８】
また、本発明の他の目的は、冠動脈の内径を迅速勝つ正確に計測できる装置を提供することにある。
【課題を解決するための手段】
【０００９】
本発明に係る計測装置は、第１端及び第２端を有しており、当該第１端側が管腔に挿入可能な長尺部材と、上記長尺部材の第１端側に設けられた熱線流速計と、を具備する。
【００１０】
長尺部材は、第１端側から管腔に挿入される。管腔の任意の位置において、熱線流速計によって管腔を流れる流体の流速が計測される。
【００１１】
本計測装置は、上記長尺部材の第１端側に、上記長尺部材から離れる向きへ移動可能な線材が、上記長尺部材の軸線周りに間隔を空けて複数が配置されたものであってもよい。
【００１２】
長尺部材から離れる向きへ移動された線材は管腔の内壁に当接する。線材が長尺部材の軸線周りに間隔を空けて複数が配置されているので、長尺部材の第１端側が管腔の中心付近に固定される。これにより、熱線流速計を管腔の中心付近に配置することができる。
【００１３】
上記線材がカンチレバーであり、本計測装置は、上記カンチレバーの変位量を計測する計測手段と、上記カンチレバーの先端に設けられており、上記管腔の内壁との接触を検知する接触センサと、を更に具備するものであってもよい。
【００１４】
カンチレバーの変位量に基づいて、管腔の内径が演算できる。
【００１５】
本計測装置は、上記長尺部材及び上記カンチレバーが挿入される外筒を更に具備しており、上記カンチレバーは、上記外筒に覆われることによって先端が上記長尺部材に近い位置に保持され、上記外筒から露出されることによって先端が上記長尺部材から離れる向きへ移動するものであってもよい。
【００１６】
外筒がカンチレバーに対して操作されることによって、カンチレバーの先端の移動量が変位する。
【００１７】
上記長尺部材は、ガイドワイヤであってもよい。
【００１８】
上記長尺部材は、マイクロカテーテルであってもよい。
【発明の効果】
【００１９】
本発明によれば、管腔を流れる流体の流速を計測する小型かつ細経の計測装置が実現できる。得られた流速に基づいて、管腔の内圧を演算することができる。また、カンチレバーの変位量に基づいて、管腔の内径を計測することができる。これにより、管腔の内圧を計測すると同時に、管腔の内径を計測することができる。
【図面の簡単な説明】
【００２０】
【図１】図１は、本発明の実施形態に係る計測装置１０を示す図である。
【図２】図２は、接触センサ３１がガイドワイヤ１１の外周面に当接又は近接された状態の、計測装置１０のＩＩ−ＩＩ断面を示す部分断面図である。
【図３】図３は、接触センサ３１がガイドワイヤ１１の外周面から離れた状態の、計測装置１０のＩＩ−ＩＩ断面を示す部分断面図である。
【図４】図４は、熱線流速計２３の動作原理を示す図である。
【発明を実施するための形態】
【００２１】
以下、本発明の好ましい実施形態を説明する。なお、本実施形態は本発明の一実施態様にすぎず、本発明の要旨を変更しない範囲で実施態様を変更できることは言うまでもない。
【００２２】
図１に示されるように、計測装置１０は、ガイドワイヤ１１と、演算装置１２とを有する。ガイドワイヤ１１は、例えばヒトの冠動脈に挿入可能な外径及び長さを有するものである。ガイドワイヤ１１の先端は、ステンレス綱のコアワイヤの周囲に、別のステンレス綱が螺旋形状に巻かれて円筒形状にされたものであり、血管の湾曲に応じて撓むことが可能である。また、ガイドワイヤ１１の内部空間には、後述される各センサの検知信号を伝達するためのハーネス１３が挿通可能である。ガイドワイヤ１１の先端（図１における右端）が第１端に相当し、基端（図１における左端）が第２端に相当する。
【００２３】
演算装置１２は、後述される各センサの検知信号を受信して、血液の流速、圧力、血管の内径を演算するものであり、例えば、ＣＰＵ、ＲＯＭ、ＲＡＭなどのハードウェアを有しており、演算を実現するためのプログラムが格納されている。
【００２４】
ガイドワイヤ１１の先端には、熱線流速計２３が設けられている。熱線流速計２３の原理は次の通りである。電流を流すことによって加熱された細い金属線（熱線）を流体中に置くと、流れの冷却作用によって、熱線の温度が下がるとともに電気抵抗値も変化する。この冷却効果は速い流速ほど大きくなる。熱線流速計２３は、この性質を利用して流速を測定するものである。
【００２５】
図４に示されるように、熱線流速計２３を構成する熱線２４は、ホイートストーンブリッジにおける抵抗の一つを構成する。なお、参照符号２５は補償増幅器であり、参照符号２６は電圧計である。
【００２６】
熱線２４を流れる電流Ｉと、熱線２４に対して垂直にあたる流体の流速Ｕとの関係は次式で表される。
Ｉ２Ｒ／（Ｒ−Ｒ０）＝Ａ＋ＢＵｎ
ここで、Ｒ０は熱線２４が流体と同温度のときの抵抗、Ａ，Ｂは熱線２４が一定温度の流体中にあるときの定数であり、流速Ｕを変化させた測定により決定できる。ｎは一般に０．５である。
【００２７】
流速の変化に伴う熱線２４の温度・抵抗変化によりＢＤ間に生じる非平衡電圧が、補償増幅器２５を通してブリッジの電源端子に戻されて、熱線２４の温度・抵抗が一定となる。このブリッジ電圧Ｖが電圧計２６で測定され、この測定値に基づいて演算装置１２が流速を演算する。
【００２８】
演算装置１２は、流速に基づいてＦＦＲを演算する。ＦＦＲの演算の一例として、ベルヌーイの定理に基づく演算が挙げられる。ここで、冠動脈の狭窄部位の上流側の流速をＵ１、圧力をＰ１とする。冠動脈の狭窄部位の流速をＵ２、圧力をＰ２とする。冠動脈の狭窄部位の下流側の流速をＵ３、圧力をＰ３とする。これらについて次式が成立する。
１／２・Ｕ１２＋Ｐ１／ρ＝１／２・Ｕ２２＋Ｐ２／ρ＝１／２・Ｕ３２＋Ｐ３／ρ＝Ｃ（定数）
ただし、ρは流体の密度。
【００２９】
上記式より、以下の３式が得られる。
Ｐ１＝ρ（Ｃ−１／２・Ｕ１２）
Ｐ２＝ρ（Ｃ−１／２・Ｕ２２）
Ｐ３＝ρ（Ｃ−１／２・Ｕ３２）
【００３０】
そうすると、ＦＦＲ、すなわちＰ１／Ｐ３は以下の式で表される。
Ｐ１／Ｐ３＝（Ｃ−１／２・Ｕ１２）／（Ｃ−１／２・Ｕ３２）
【００３１】
なお、ベルヌーイの定理は非粘性流体に関するものなので、内径が１６０ｍｍ以下の血管においては粘性を考慮する必要があるが、層流であればハーゲンポアズイユの法則が成り立つ。したがって、血液が、流動抵抗Ｒｆの細動脈を通り、ΔＰだけ圧力が変化するときに、次式が成り立つ。
ΔＰ＝ＲｆＱ    （ただし、Ｑは体積。）
したがって、予め換算テーブルを演算装置１２に格納しておくことによって内径が１６０ｍｍ以下の血管についても対応可能である。
【００３２】
図１〜図３に示されるように、ガイドワイヤ１１の外側には外筒部材３３が設けられている。外筒部材３３は、ガイドワイヤ１１の外径より若干大きな内径を有するものであり、ガイドワイヤ１１と同様に血管に沿って湾曲可能である。外筒部材３３は、ガイドワイヤ１１の先端の熱線流速計２３を外部へ露出させた状態において、ガイドワイヤ１１の基端まで延出されている。外筒部材３３はガイドワイヤ１１に対して軸方向５１へ相対的にスライド可能である。
【００３３】
移動機構３４は、外筒部材３３の基端側に接続されており、ラックピニオン機構やボールネジなどを利用して、外筒部材３３を軸線方向５１へ移動させるものである。移動機構３４の駆動量は、例えばエンコーダなどによって把握できる。エンコーダの出力に基づいて、移動機構３４の駆動が制御される。なお、移動機構３４は必須ではなく、例えば、施術者が直接外筒部材３３を操作してもよい。
【００３４】
ガイドワイヤ１１の先端側であって外筒部材３３との隙間には、軸線方向５１に沿って延びるカンチレバー３２が設けられている。カンチレバー３２は、その基端側がガイドワイヤ１１の外周面に固定されており、その先端側がガイドワイヤ１１の先端へ向かって延出され、かつ外側へ開くように湾曲した形状である。なお、各図には現れていないが、カンチレバー３２及び接触センサ３１は、ガイドワイヤ１１の軸線周りに３個が等間隔を空けて、すなわち１２０°間隔で配置されている。カンチレバー３２が線材に相当する。
【００３５】
図２に示されるように、カンチレバー３２は、外筒部材３３に覆われることによって、湾曲形状が弾性的に変形してガイドワイヤ１１の外周面に当接ないし近接する。図３に示されるように、外筒部材３３が基端側へスライドされてカンチレバー３２の先端側が外部へ露出されると、カンチレバー３２が湾曲形状に弾性復帰して、その先端側がガイドワイヤ１１の外周面から離れる。
【００３６】
カンチレバー３２の内面側、すなわちガイドワイヤ１１側には軸線方向５１に沿ってピエゾ素子３７が設けられており、カンチレバー３２が湾曲すると、ピエゾ素子も湾曲して、その湾曲形状に応じた電圧をハーネス１３を介して演算装置１２へ出力する。ピエゾ素子３７の出力は、カンチレバー３２の先端がガイドワイヤ１１の外周面から離れた距離に比例する。したがって、ピエゾ素子３７の出力に基づいて、演算装置１２がカンチレバー３２の先端がガイドワイヤ１１の外周面から離れた距離を演算する。ピエゾ素子３７が計測手段に相当する。
【００３７】
カンチレバー３２の先端には接触センサ３１が設けられている。接触センサ３１は、カンチレバー３２の弾性変形に伴って、ガイドワイヤ１１の外周面に対して接離する方向へ移動する。接触センサ３１は、カンチレバー３２と同様に、ハーネス１３を通じて検知信号を演算装置１２へ出力する。
【００３８】
演算装置１２は、接触センサ３１が血管の内壁に接触したことを示す検知信号を出力したときのカンチレバー３２の変位量をピエゾ素子３７の出力に基づいて演算する。このカンチレバー３２の変位量は、ガイドワイヤ１１の外周面から血管の内壁までの距離に比例する。ガイドワイヤの外径は既知なので、演算装置１２は、３個のカンチレバー３２に対して、各々の先端に設けられた接触センサ３１が血管の内壁に接触したことを示す検知信号を出力したタイミングで、３個のカンチレバー３２の変位量、すなわちガイドワイヤ１１の外周面から血管の内壁までの距離を算出し、得られた３点の距離から、例えば３点測定法により血管の内径を演算する。
【００３９】
また、３個のカンチレバー３２の各先端がガイドワイヤ１１の外周面から離れて血管の内壁に当接することによって、熱線流速計２３が血管の中央付近に支持される。
【００４０】
［本実施形態の作用効果］
本実施形態に係る計測装置１０によれば、ガイドワイヤ１１の先端側が冠動脈へ挿入されて、予め位置が確認されている狭窄病変に対して、狭窄部位、並びに狭窄部位の上流及び下流の流速が熱線流速計２３によって計測可能である。演算装置１２は、得られた流速に基づいて、ＦＦＲを演算できる。
【００４１】
また、演算装置１２は、カンチレバー３２の変位量に基づいて血管の内径を測定する。これにより、冠動脈などの生体の管腔において、管腔を流れる流体の流速及び内圧、並びに血管の内径を計測することができる。
【００４２】
［変形例］
なお、前述された実施形態では、ガイドワイヤ１１により長尺部材が実現されているが、ガイドワイヤ１１に代えて、マイクロカテーテルが用いられてもよい。マイクロカテーテルが用いられることによって、血管にガイドワイヤを留置したまま、マイクロカテーテルを挿入及び抜き出すことができ、そのガイドワイヤを用いてバルーンカテーテルなどを血管に挿入することができる。
【００４３】
また、前述された実施形態では、ガイドワイヤ１１の先端側に３個のカンチレバー３２及び接触センサ３１が設けられているが、カンチレバー３２及び接触センサ３１は、３個以上であれば、４個であっても５個であってもよい。例えば、４個のカンチレバー３２及び接触センサ３１が、ガイドワイヤ１１の軸線周りに等間隔で、すなわち９０°間隔で配置されていてもよい。
【００４４】
また、前述された実施形態では、ピエゾ素子３７の出力に基づいてカンチレバー３２の先端の変位量が測定されているが、ピエゾ素子３７に代えて、カンチレバー３２に光を照射して、カンチレバー３２が反射する反射光の位置、すなわち屈曲角度を検出する光検出手段をガイドワイヤ１１に設け、この光検出手段によってカンチレバー３２の変位量が測定されてもよい。
【００４５】
また、前述された実施形態では、ガイドワイヤ１１にカンチレバー３２が設けられているが、血管の内径を測定する必要がないときには、カンチレバー３２に代えて、ガイドワイヤ１１の外側へ湾曲して膨らむことができるワイヤなどが線材として設けられてもよい。
【符号の説明】
【００４６】
１０  計測装置
１１  ガイドワイヤ（長尺部材）
１２  演算装置
２３  熱線流速計
３１  接触センサ
３２  カンチレバー
３３  外筒部材
３７  ピエゾ素子（計測手段）
【図１】
2015100572.tif 000003
【図２】
2015100572.tif 000004
【図３】
2015100572.tif 000005
【図４】
2015100572.tif 000006